(57)【要約】【課題】  ごみと一緒に掃き込まれた土砂を簡単かつ効率良くごみと分離して排出することができる、土砂排出機能付き塵取りを得る。【解決手段】  ごみを掃き込むための掃込口１１を有するボックス形の集塵箱１０と、該集塵箱１０に取り付けられた取っ手１２とを備えた塵取り１において、上記集塵箱１０における箱後面壁１４と箱上面壁１６とが連なる後端部上面寄りのコーナー部２１に、縦長の長孔からなる複数の排出孔２０を並列状態に形成する。【選択図】        図２
2006158787.tif 000002
【特許請求の範囲】
【請求項１】
ごみを掃き込むための掃込口を前面に有するボックス形の集塵箱と、該集塵箱に取り付けられた取っ手とを備え、上記集塵箱における上記掃込口とは異なる位置に、該集塵箱内に掃き込まれた土砂をごみと分離して排出するための排出孔が形成されていることを特徴とする土砂排出機能付き塵取り。
【請求項２】
上記排出孔が集塵箱のコーナー部に形成されていることを特徴とする請求項１に記載の塵取り。
【請求項３】
上記コーナー部が、上記集塵箱の後端部上面寄りの、箱上面壁と箱後面壁とが連なるコーナー部であることを特徴とする請求項２に記載の塵取り。
【請求項４】
上記排出孔が、上記集塵箱における箱後面壁及び／又は箱側面壁上の、箱底面壁より上方の位置に形成されていることを特徴とする請求項１に記載の塵取り。
【請求項５】
上記排出孔が長孔からなっていて、複数の排出孔が並列状態に設けられていることを特徴とする請求項１から４の何れかに記載の塵取り。
【請求項６】
上記取っ手には、箒が着脱式に装着可能であることを特徴とする請求項１から４の何れかに記載の塵取り。
【発明の詳細な説明】
【技術分野】
【０００１】
本発明は、ごみと一緒に掃き込まれた土砂を選択的に排出することができる土砂排出機能付きの塵取りに関するものである。
【背景技術】
【０００２】
塵取りは一般に、特許文献１に示すように、ごみを掃き込むための掃込口を前面に備えていて、箒で掃き集めたごみをこの掃込口から内部に掃き込むようになっている。このとき、室外で使用する塵取りの場合には、ごみと一緒に土砂も掃き込まれることが多く、土砂が混じったごみはごみ箱などにそのまま捨てられないため、ごみと土砂とを分離する必要がある。
このような場合に従来では、ごみを手で掴んで塵取りから取り出し、それをごみ箱に捨て、残った土砂を地面に捨てるのが一般的であった。
【特許文献１】実公平６−３９６３１号公報
【発明の開示】
【発明が解決しようとする課題】
【０００３】
しかし、上述した従来の処理方法は、手が汚れて非衛生的であるだけでなく、掴んだごみの一部がぱらぱらと落下して周囲に散らばり易く、しかも、細かいごみと土砂とを完全に分離するのに手間と時間がかかり、非効率的であった。
【０００４】
そこで本発明の目的は、ごみと一緒に掃き込まれた土砂を簡単かつ効率良くごみと分離して排出することができる、土砂排出機能付き塵取りを提供することにある。
【課題を解決するための手段】
【０００５】
上記目的を達成するため、本発明の塵取りは、ごみを掃き込むための掃込口を前面に有するボックス形の集塵箱と、該集塵箱に取り付けられた取っ手とを備え、上記集塵箱における上記掃込口とは異なる位置に、該集塵箱内に掃き込まれた土砂をごみと分離して排出するための排出孔が形成されていることを特徴とするものである。
【０００６】
本発明において好ましくは、上記排出孔が集塵箱のコーナー部に形成されていることであり、より好ましくは、上記集塵箱の後端部上面寄りの、箱上面壁と箱後面壁とが連なるコーナー部に形成されていることである。
【０００７】
本発明において上記排出孔は、上記集塵箱における箱後面壁及び／又は箱側面壁上の、箱底面壁より上方の位置に形成することもできる。
【０００８】
本発明おいて上記排出孔は、長孔からなっていて、複数の排出孔が並列状態に設けられていることが望ましい。
【０００９】
更に、本発明においては、上記取っ手に箒が着脱式に装着可能なるように構成することができる。
【発明の効果】
【００１０】
本発明の土砂排出機能付き塵取りは、集塵箱に土砂を排出するための排出孔が形成されているから、この排出孔が低位置を占めるように集塵箱を傾けることにより、ごみより比重の大きく且つ小径の土砂がこの排出孔を通じて外部に排出され、ごみだけが集塵箱の内部に残るので、残ったごみをごみ箱に捨てればよい。従って、土砂だけを簡単かつ効率良くごみと分離して外部に排出することができるという利点がある。
【発明を実施するための最良の形態】
【００１１】
図１及び図２は本発明に係る土砂排出機能付き塵取りの一つの実施形態を示すものである。この塵取り１は、ごみを掃き込むための掃込口１１を前面に有するボックス形の集塵箱１０と、該集塵箱１０の上面に取り付けられた取っ手１２とを備え、箒２（図３参照）で掃き集めたごみを上記掃込口１１から集塵箱１０の内部に掃き込むようにしたものである。
【００１２】
上記集塵箱１０は、金属や硬質合成樹脂等の素材からなるもので、上から見たときの形状が前面側に向けて次第に広幅をなす略台形状をなしており、該集塵箱１０の前面に上記掃込口１１が形成され、この掃込口１１以外の部分は、略台形状をした箱底面壁１３と、この箱底面壁１３の後端部から立ち上がった箱後面壁１４と、上記箱底面壁１３の左右両端部から立ち上がった左右の箱側面壁１５，１５と、これらの箱後面壁１４及び箱側面壁１５，１５の上端部に連なる箱上面壁１６とで囲まれている。
【００１３】
上記掃込口１１は、左右の箱側面壁１５，１５の前端部を実質的に斜め前下がり状に傾斜させることにより、底辺側が上辺側より前方に突出するように傾斜する形に形成されている。そして、該掃込口１１の底辺即ち集塵箱１０の箱底面壁１３の先端縁には、ごみを掃き込み易くするための合成樹脂製のヘラ１８が取り付けられている。
【００１４】
また、上記集塵箱１０には、該集塵箱１０内にごみと一緒に掃き込まれた土砂をごみと分離して排出するための排出孔２０が形成されている。この排出孔２０は、基本的には上記掃込口１１とは異なる位置に形成されていれば良いが、塵取り１を持ち運んでいる途中で土砂や細かいごみなどがこの排出孔２０から不用意に漏れ落ちて散乱するのを防止するためには、上記箱底面壁１３上ではなく、この箱底面壁１３より高い位置に形成することが望ましい。このような場所としては、上記箱後面壁１４上や箱側面壁１５上あるいは箱上面壁１６上などが挙げられるが、好ましくは、箱後面壁１４及び／又は箱側面壁１５上であり、より好ましくは、これらの面壁が連なるコーナー部、例えば、箱後面壁１４と箱上面壁１６とが連なる集塵箱１０の後端部上面寄りのコーナー部２１や、箱後面壁１４と箱側面壁１５とが連なる集塵箱１０の後端部側面寄りのコーナー部２２、あるいは、箱側面壁１５と箱上面壁１６とが連なる集塵箱１０の側端部上面寄りのコーナー部２３、上記３つの面壁１４，１５，１６の境界である集塵箱１０の後端部上面における両側端部のコーナー部２４などに形成することである。図示した実施形態においては、上述した各コーナー部のうち、集塵箱１０の後端部上面寄りのコーナー部２１に複数の排出孔２０が形成されている。
【００１５】
上記排出孔２０は、粒径の小さい土砂をごみと選別して選択的に排出できるものであれば、円形や矩形あるいはスリット形など、どのような形状のものであっても良い。この実施形態における排出孔２０は、箱上面壁１６の後端部から箱後面壁１４の上端部にかけて上記コーナー部２１を縦断する方向に延びる縦長の長孔であり、このような形の排出孔２０が、集塵箱１０の左右方向に複数並列状態に形成されている。
【００１６】
また、上記取っ手１２は、上記集塵箱１０における箱上面壁１６の前端中央位置に上向きに取り付けられた支柱２５の上端に形成されていて、集塵箱１０の前面側に向けて横向きに延びている。この取っ手１２の前端部は、上記箱上面壁１６の前端部に取り付けられたアーチ形の支持フレーム２６に連結されることにより、この支持フレーム２６で補強されており、この支持フレーム２６と上記支柱２５との中間位置にも、補強用の横フレーム２７が掛け渡されている。
【００１７】
上記支持フレーム２６の中間部における取っ手１２との連結部には、その前面側の位置に窪み２８が形成されると共に、この窪み２８の内部に、弾力的に開閉する左右一対の挟持アーム２９，２９が形成されており、図３に示すように、この挟持アーム２９，２９の間に箒２の柄３０を弾力的に挟持させることにより、該箒２を着脱式に装着して収納できるようになっている。
上記箒２は、棒状をした上記柄３０の先端に、払掃用の穂体３１を取り付けたもので、公知の箒２と同じ構成を有するものである。
【００１８】
上記構成を有する塵取り１は、従来の一般の塵取り１と同様に、箒２で掃き集めたごみを掃込口１１から集塵箱１０の内部に掃き込み、それをごみ箱などのごみ廃棄場所まで運んで捨てるものである。このとき、この塵取り１を室外で使用すると、ごみと一緒に土砂が集塵箱１０の内部に掃き込まれることになるが、その場合には、図４に示すように、該集塵箱１０を排出孔２０が低い位置を占めるように傾けることにより、ごみより比重が大きく且つ小径の土砂がこの排出孔２０を通じて外部に排出され、ごみだけが集塵箱１０の内部に残るので、残ったごみを廃棄場所まで運んで捨てればよい。この場合特に、上記排出孔２０を集塵箱１０のコーナー部分に形成することにより、集塵箱１０を傾けたときこのコーナー部分が谷底状となって重たい土砂が集まり易いため、この土砂だけを簡単かつ効率良くごみと分離して選択的に外部に排出することができる。
【００１９】
なお、上述したように土砂の排出に当たって塵取り１を傾ける場合、その角度がかなり大きくなって取っ手１２を持った状態では傾けにくい場合には、上記支柱２５の中間位置に形成したグリップ部２５ａを握って傾けるようにすることもできる。
【００２０】
また、上記箱後面壁１４が外に向けて凸形をなす形に湾曲している場合には、この箱後面壁１４の中間高さの位置に上記排出孔２０を形成することもでき、この場合には、図示した実施形態のように排出孔２０を集塵箱１０の後端部上面寄りのコーナー部２１に形成した場合に比べ、集塵箱１０を小さく傾斜させるだけで土砂をこの排出孔２０の位置に集めて排出することができる。
【図面の簡単な説明】
【００２１】
【図１】本発明に係る塵取りを前面側から見た場合の斜視図である。
【図２】上記塵取りを背面側から見た場合の斜視図である。
【図３】上記塵取りに箒を取り付けた場合の斜視図である。
【図４】土砂を排出する方法を示す塵取りの側面図である。
【符号の説明】
【００２２】
１      塵取り
２      箒
１０      集塵箱
１１      掃込口
１２      取っ手
１４      箱後面壁
１６      箱上面壁
２０      排出孔
２１      コーナー部
【図１】
2006158787.tif 000003
【図２】
2006158787.tif 000004
【図３】
2006158787.tif 000005
【図４】
2006158787.tif 000006